【手続補正書】
【提出日】平成25年2月28日(2013.2.28)
【手続補正１】
【補正対象書類名】特許請求の範囲
【補正対象項目名】全文
【補正方法】変更
【補正の内容】
【特許請求の範囲】
【請求項１】
ウェブページの開設者である基準ユーザと所定の人間関係にある相手ユーザを特定するために、ユーザ間の関係を示す関係データを記憶するユーザ関係データベースから、該基準ユーザを示す基準ユーザＩＤに対応する該相手ユーザの相手ユーザＩＤを抽出する相手抽出手段と、
商品に対するユーザのコメントを示すコメントデータを記憶するコメントデータベースから、前記相手抽出手段により抽出された相手ユーザＩＤで示される相手ユーザが投稿したコメントを示すコメントデータを抽出するコメント抽出手段と、
前記コメント抽出手段により抽出されたコメントデータで示される商品の広告コンテンツであって、該コメントデータで示されるコメントを表示する広告コンテンツを生成する生成手段と、
前記生成手段により生成された広告コンテンツを前記基準ユーザが開設した前記ウェブページに表示させるために該広告コンテンツを出力する出力手段と
を備える広告表示装置。
【請求項２】
前記相手抽出手段は、前記基準ユーザ及び前記ウェブページの閲覧者と所定の人間関係にある前記相手ユーザの前記相手ユーザＩＤを抽出する、
請求項１に記載の広告表示装置。
【請求項３】
前記相手抽出手段は、前記ユーザ関係データベースを参照して、前記開設者によりコメントされた商品を特定し、該商品に対してコメントした前記相手ユーザの相手ユーザＩＤを抽出する、
請求項１又は２に記載の広告表示装置。
【請求項４】
前記コメント抽出手段は、前記基準ユーザと前記相手ユーザとのいずれか一方のユーザが投稿した前記商品に対するコメントを示すコメントデータと、該コメントに対して他方のユーザが返信したコメントを示すコメントデータとを抽出し、
前記生成手段は、前記基準ユーザが投稿したコメントと前記相手ユーザが投稿したコメントとを表示する前記広告コンテンツを生成する、
請求項３に記載の広告表示装置。
【請求項５】
前記生成手段は、前記広告コンテンツにより表示されるコメントが複数ある場合、前記コメントが該コメントの登録順に表示されるように前記広告コンテンツを生成する、
請求項１〜４のいずれか一項に記載の広告表示装置。
【請求項６】
前記生成手段は、前記商品が掲載されているウェブページのＵＲＬがリンク先として埋め込まれたバナー広告として前記広告コンテンツを生成する、
請求項１〜５のいずれか一項に記載の広告表示装置。
【請求項７】
前記相手抽出手段は、前記基準ユーザとの間のホップ数に基づいて抽出した所定数のユーザのユーザＩＤを前記相手ユーザＩＤとして抽出する、
請求項１〜６のいずれか一項に記載の広告表示装置。
【請求項８】
広告表示装置により実行される広告表示方法であって、
ウェブページの開設者である基準ユーザと所定の人間関係にある相手ユーザを特定するために、ユーザ間の関係を示す関係データを記憶するユーザ関係データベースから、該基準ユーザを示す基準ユーザＩＤに対応する該相手ユーザの相手ユーザＩＤを抽出する相手抽出ステップと、
商品に対するユーザのコメントを示すコメントデータを記憶するコメントデータベースから、前記相手抽出ステップにおいて抽出された相手ユーザＩＤで示される相手ユーザが投稿したコメントを示すコメントデータを抽出するコメント抽出ステップと、
前記コメント抽出ステップにおいて抽出されたコメントデータで示される商品の広告コンテンツであって、該コメントデータで示されるコメントを表示する広告コンテンツを生成する生成ステップと、
前記生成ステップにおいて生成された広告コンテンツを前記基準ユーザが開設した前記ウェブページに表示させるために該広告コンテンツを出力する出力ステップと
を含む広告表示方法。
【請求項９】
コンピュータを、
ウェブページの開設者である基準ユーザと所定の人間関係にある相手ユーザを特定するために、ユーザ間の関係を示す関係データを記憶するユーザ関係データベースから、該基準ユーザを示す基準ユーザＩＤに対応する該相手ユーザの相手ユーザＩＤを抽出する相手抽出手段と、
商品に対するユーザのコメントを示すコメントデータを記憶するコメントデータベースから、前記相手抽出手段により抽出された相手ユーザＩＤで示される相手ユーザが投稿したコメントを示すコメントデータを抽出するコメント抽出手段と、
前記コメント抽出手段により抽出されたコメントデータで示される商品の広告コンテンツであって、該コメントデータで示されるコメントを表示する広告コンテンツを生成する生成手段と、
前記生成手段により生成された広告コンテンツを前記基準ユーザが開設した前記ウェブページに表示させるために該広告コンテンツを出力する出力手段と
して機能させる広告表示プログラム。
【請求項１０】
コンピュータを、
ウェブページの開設者である基準ユーザと所定の人間関係にある相手ユーザを特定するために、ユーザ間の関係を示す関係データを記憶するユーザ関係データベースから、該基準ユーザを示す基準ユーザＩＤに対応する該相手ユーザの相手ユーザＩＤを抽出する相手抽出手段と、
商品に対するユーザのコメントを示すコメントデータを記憶するコメントデータベースから、前記相手抽出手段により抽出された相手ユーザＩＤで示される相手ユーザが投稿したコメントを示すコメントデータを抽出するコメント抽出手段と、
前記コメント抽出手段により抽出されたコメントデータで示される商品の広告コンテンツであって、該コメントデータで示されるコメントを表示する広告コンテンツを生成する生成手段と、
前記生成手段により生成された広告コンテンツを前記基準ユーザが開設した前記ウェブページに表示させるために該広告コンテンツを出力する出力手段と
して機能させる広告表示プログラムを記録するコンピュータ読取可能な記録媒体。
【手続補正２】
【補正対象書類名】明細書
【補正対象項目名】０００６
【補正方法】変更
【補正の内容】
【０００６】
本発明の広告表示装置は、ウェブページの開設者である基準ユーザと所定の人間関係にある相手ユーザを特定するために、ユーザ間の関係を示す関係データを記憶するユーザ関係データベースから、該基準ユーザを示す基準ユーザＩＤに対応する該相手ユーザの相手ユーザＩＤを抽出する相手抽出手段と、商品に対するユーザのコメントを示すコメントデータを記憶するコメントデータベースから、相手抽出手段により抽出された相手ユーザＩＤで示される相手ユーザが投稿したコメントを示すコメントデータを抽出するコメント抽出手段と、コメント抽出手段により抽出されたコメントデータで示される商品の広告コンテンツであって、該コメントデータで示されるコメントを表示する広告コンテンツを生成する生成手段と、生成手段により生成された広告コンテンツを前記基準ユーザが開設した前記ウェブページに表示させるために該広告コンテンツを出力する出力手段とを備える。
【手続補正３】
【補正対象書類名】明細書
【補正対象項目名】０００７
【補正方法】変更
【補正の内容】
【０００７】
本発明の広告表示方法は、ウェブページの開設者である広告表示装置により実行される広告表示方法であって、基準ユーザと所定の人間関係にある相手ユーザを特定するために、ユーザ間の関係を示す関係データを記憶するユーザ関係データベースから、該基準ユーザを示す基準ユーザＩＤに対応する該相手ユーザの相手ユーザＩＤを抽出する相手抽出ステップと、商品に対するユーザのコメントを示すコメントデータを記憶するコメントデータベースから、相手抽出ステップにおいて抽出された相手ユーザＩＤで示される相手ユーザが投稿したコメントを示すコメントデータを抽出するコメント抽出ステップと、コメント抽出ステップにおいて抽出されたコメントデータで示される商品の広告コンテンツであって、該コメントデータで示されるコメントを表示する広告コンテンツを生成する生成ステップと、生成ステップにおいて生成された広告コンテンツを前記基準ユーザが開設した前記ウェブページに表示させるために該広告コンテンツを出力する出力ステップとを含む。
【手続補正４】
【補正対象書類名】明細書
【補正対象項目名】０００８
【補正方法】変更
【補正の内容】
【０００８】
本発明の広告表示プログラムは、コンピュータを、ウェブページの開設者である基準ユーザと所定の人間関係にある相手ユーザを特定するために、ユーザ間の関係を示す関係データを記憶するユーザ関係データベースから、該基準ユーザを示す基準ユーザＩＤに対応する該相手ユーザの相手ユーザＩＤを抽出する相手抽出手段と、商品に対するユーザのコメントを示すコメントデータを記憶するコメントデータベースから、相手抽出手段により抽出された相手ユーザＩＤで示される相手ユーザが投稿したコメントを示すコメントデータを抽出するコメント抽出手段と、コメント抽出手段により抽出されたコメントデータで示される商品の広告コンテンツであって、該コメントデータで示されるコメントを表示する広告コンテンツを生成する生成手段と、生成手段により生成された広告コンテンツを前記基準ユーザが開設した前記ウェブページに表示させるために該広告コンテンツを出力する出力手段として機能させる。
【手続補正５】
【補正対象書類名】明細書
【補正対象項目名】０００９
【補正方法】変更
【補正の内容】
【０００９】
本発明のコンピュータ読取可能な記録媒体は、コンピュータを、ウェブページの開設者である基準ユーザと所定の人間関係にある相手ユーザを特定するために、ユーザ間の関係を示す関係データを記憶するユーザ関係データベースから、該基準ユーザを示す基準ユーザＩＤに対応する該相手ユーザの相手ユーザＩＤを抽出する相手抽出手段と、商品に対するユーザのコメントを示すコメントデータを記憶するコメントデータベースから、相手抽出手段により抽出された相手ユーザＩＤで示される相手ユーザが投稿したコメントを示すコメントデータを抽出するコメント抽出手段と、コメント抽出手段により抽出されたコメントデータで示される商品の広告コンテンツであって、該コメントデータで示されるコメントを表示する広告コンテンツを生成する生成手段と、生成手段により生成された広告コンテンツを前記基準ユーザが開設した前記ウェブページに表示させるために該広告コンテンツを出力する出力手段として機能させる広告表示プログラムを記録する。
【手続補正６】
【補正対象書類名】明細書
【補正対象項目名】００１０
【補正方法】変更
【補正の内容】
【００１０】
このような発明によれば、アクセスされたウェブページの開設者と所定の人間関係にある相手ユーザが抽出され、その相手ユーザによる商品へのコメントが抽出される。そして、そのコメントが表示されるような商品広告のコンテンツが生成され、最終的に基準ユーザが開設したウェブページ上に表示される。このように、当該開設者と近い関係にあるユーザのコメントを商品の広告コンテンツの一部として表示させることで、ウェブページの閲覧者は、自身が興味を持ったウェブページの開設者の周辺の人のコメントをより身近なものとして受け止めることができる。その結果、閲覧者（消費者）に商品への更なる関心を持たせることが可能になる。
【手続補正７】
【補正対象書類名】明細書
【補正対象項目名】００１１
【補正方法】変更
【補正の内容】
【００１１】
本発明の広告表示装置では、相手抽出手段は、基準ユーザ及びウェブページの閲覧者と所定の人間関係にある相手ユーザの相手ユーザＩＤを抽出してもよい。
【手続補正８】
【補正対象書類名】明細書
【補正対象項目名】００１２
【補正方法】変更
【補正の内容】
【００１２】
この場合には、アクセスされたウェブページの開設者及び閲覧者の双方と所定の人間関係にある相手ユーザが特定される。これにより、開設者及び閲覧者と近い関係にあるユーザのコメントが商品の広告コンテンツの一部として表示される。その結果、ウェブページの閲覧者は、開設者だけでなく自身にとっても身近な人のコメントをより身近なものとして受け止めることができる。その結果、閲覧者（消費者）に商品への更なる関心を持たせることが可能になる。
【手続補正９】
【補正対象書類名】明細書
【補正対象項目名】００１３
【補正方法】変更
【補正の内容】
【００１３】
本発明の広告表示装置では、相手抽出手段は、ユーザ関係データベースを参照して、開設者によりコメントされた商品を特定し、該商品に対してコメントした相手ユーザの相手ユーザＩＤを抽出してもよい。
【手続補正１０】
【補正対象書類名】明細書
【補正対象項目名】００１４
【補正方法】変更
【補正の内容】
【００１４】
この場合には、アクセスされたウェブページの開設者がコメントした商品についてコメントしたユーザのうち、開設者又は閲覧者と近い関係にあるユーザが抽出される。これにより、開設者が注目した商品に対する、当該開設者又は閲覧者と近い関係にあるユーザのコメントが広告コンテンツの一部として表示される。また、開設者又は閲覧者（基準ユーザ）と近い関係にある者のコメントが商品広告に含まれて表示されるので、その広告を見たユーザはそのコメントをより身近なものとして受け止めることができる。その結果、よりユーザ（消費者）の関心を惹くことが可能になる。
【手続補正１１】
【補正対象書類名】明細書
【補正対象項目名】００１５
【補正方法】変更
【補正の内容】
【００１５】
本発明の広告表示装置では、コメント抽出手段は、基準ユーザと相手ユーザとのいずれか一方のユーザが投稿した商品に対するコメントを示すコメントデータと、該コメントに対して他方のユーザが返信したコメントを示すコメントデータとを抽出し、生成手段は、基準ユーザが投稿したコメントと相手ユーザが投稿したコメントとを表示する広告コンテンツを生成してもよい。
【手続補正１２】
【補正対象書類名】明細書
【補正対象項目名】００１６
【補正方法】変更
【補正の内容】
【００１６】
この場合には、所定の人間関係にある複数のユーザ同士による一連のコメントを抽出し、まとめて１つの広告とすることができる。その結果、よりユーザ（消費者）の関心を惹くことが可能になる。
【手続補正１３】
【補正対象書類名】明細書
【補正対象項目名】００１７
【補正方法】変更
【補正の内容】
【００１７】
本発明の広告表示装置では、生成手段は、広告コンテンツにより表示されるコメントが複数ある場合、コメントが該コメントの登録順に表示されるように前記広告コンテンツを生成してもよい。
【手続補正１４】
【補正対象書類名】明細書
【補正対象項目名】００１８
【補正方法】変更
【補正の内容】
【００１８】
このようにコメントを登録順に、すなわち時系列に表示させることで、あたかも会話がなされているような視覚効果を閲覧者に示すことができる。これにより、ユーザ（消費者）の関心を惹くことが可能になる。
【手続補正１５】
【補正対象書類名】明細書
【補正対象項目名】００１９
【補正方法】変更
【補正の内容】
【００１９】
本発明の広告表示装置では、生成手段は、商品が掲載されているウェブページのＵＲＬがリンク先として埋め込まれたバナー広告として広告コンテンツを生成してもよい。この場合には、コメントデータで示される商品が掲載されているウェブページへのリンクが埋め込まれたバナー広告を生成することができる。
【手続補正１６】
【補正対象書類名】明細書
【補正対象項目名】００２０
【補正方法】変更
【補正の内容】
【００２０】
本発明の広告表示装置では、相手抽出手段は、基準ユーザとの間のホップ数に基づいて抽出した所定数のユーザのユーザＩＤを前記相手ユーザＩＤとして抽出してもよい。この場合には、ホップ数に基づいて基準ユーザと近い関係にある者を適切に抽出できる。